(57)【特許請求の範囲】
【請求項１】
複数の内線電話機および複数のドアホンが収容でき、該内線
電話機およびドアホンとのハンズフリー通話部を有する電話交換装置において、前記ドアホンからの着信およびドアホン呼出しができるインターフェース部、該ドアホンの入出力レベルを切替制御できる２−４線変換部、前記内線電話機、ドアホンおよびハンズフリー通話部とを相互接続するためのスイッチ部、該２−４線変換部を経由したドアホンの音声入出力レベルと内線電話機からの音声入出力レベルとを制御することができるハンズフリー通話部を有し、前記それぞれの機器の通話レベルを制御したことを特徴とする電話交換装置における通話レベル制御方式。
【請求項２】
電話回線と複数の内線電話機および複数のドアホンが収容でき、該電話回線と内線電話機およびドアホンとのハンズフリー通話部を有する電話交換装置において、前記ドアホンからの着信およびドアホン呼出しができるインターフェース部、該ドアホンの入出力レベルを切替制御できる２−４線変換部前記電話回線、内線電話機、ドアホンおよびハンズフリー通話部とを相互接続するためのスイッチ部、該２−４線変換部を経由したドアホンの音声入出力レベルと内線電話機からの音声入出力レベルおよび電話回線からの音声入出力レベルを制御することができるハンズフリー通話部を有し、前記それぞれの機器の通話レベルを制御したことを特徴とする電話交換装置における通話レベル制御方式。
【発明の詳細な説明】
【０００１】
【発明の属する技術分野】
本発明は、電話回線、内線、ドアホン等の通話レベルの異なる機器における通話レベルのばらつきを少なくして通話品質の向上を計るためのものである。
【０００２】
【発明が解決しようとする課題】
従来のこの種の装置は、集合住宅の各住戸に設置され、ドアホンは各住戸玄関と各住戸共通のロビー等にロビードアホン１個を設置し、装置内蔵のハンズフリー機能を利用したドアホンとハンズフリー通話部との通話、ドアホンと内線電話機との通話、内線電話機とハンズフリー通話部との通話若しくは電話回線とハンズフリー通話部との通話することができ、前記ドアホンは各住戸の玄関ドアホンとして設置し、共用のロビーには各住戸に接続できるロビードアホンとして設置されるものでそれぞれの設置条件が異なるため通話レベル差が生じることが多く前記玄関ドアホンとロビードアホンとは同じドアホンを使用することができないため、内線電話機またはハンズフリー通話部との通話レベルが前記各住戸の玄関ドアホンとロビードアホンでは通話レベルが異なり、ドアホンへの出力レベルおよびドアホンからの入力レベルを個々に調整する必要があった。また、ドアホンとハンズフリー通話部との通話の場合はドアホンおよびハンズフリー通話部ともに装置から離れて話しをするのでドアホンと内線電話機との通話に比べてハンズフリー通話部の通話レベルを上げる必要があった。また内線とハンズフリー通話部との通話または電話回線とハンズフリー通話部との通話の場合には通話が大きすぎるためハンズフリー通話部で通話レベルの調整をする必要があった。そこで全ての通話レベルを安価で自動的に調整する機能を有するものが無かったため通話レベルがばらついたまま使用していたか、または高価なデジタル方式のオートレベルコントロール機能を有するものを使用する必要があった。
【０００３】
【課題を解決するための手段】
上記課題を解決するために、ドアホンからの着信およびドアホン呼出しができるインターフェース部、該ドアホンの入出力レベルを切替制御できる２−４線変換部、前記電話回線と内線電話機とドアホンおよびハンズフリー通話部とを相互接続するための接続部、該２−４線変換部を経由したドアホンの音声の入出力レベルと内線からの音声の入出力レベルを制御することができるハンズフリー通話部を有し、各ドアホンからの音声入力レベルと該ドアホンへの音声出力レベルを前記２−４線変換部で切替制御し、ドアホンの種類（例えば、各住戸玄関用、ロビー用等）による通話レベルのばらつきを少なくし、またドアホンとハンズフリー通話部との通話および内線電話機とハンズフリー通話部との通話レベルを該ハンズフリー通話部で切替制御することにより線路条件等によるレベル差を補正してそれぞれの通話レベルのばらつきを少なくした。このような手段により前記２−４変換部で複数のドアホン間の通話レベルを自動調整、およびハンズフリー通話部で内線電話機とドアホンとの通話レベルを自動的に調整できるようにしたものである。
【０００４】
また、他の発明は上記手段に電話回線とハンズフリー通話部を接続するスイッチ部および電話回線とハンズフリー通話部との通話手段を設けたもので、ドアホンとハンズフリー通話部との通話および内線電話機とハンズフリー通話部との通話レベルを該ハンズフリー通話部で切替制御することにより線路条件等によるレベル差を補正してそれぞれの通話レベルのばらつきを極めて少なくした。このような手段により前記２−４変換部で複数のドアホン間の通話レベルを自動調整またハンズフリー通話部で電話回線、内線電話機またはドアホンとの通話レベルを自動的に調整できるようにしたものである。
【０００５】
【発明の実施の形態】
以下、図面を参照して本発明に係わる実施の形態を詳細に説明すると、図１は本発明の実施の形態に係わるブロック図であって、ＣＯ１、ＣＯ２は電話回線を収容するための外線端子、ＥＸＴ１〜ＥＸＴ４は電話機等を収容するための内線端子、ＤＨ１、ＤＨ２はドアホンを収容するためのドアホン端子、１０はドアホンインターフェース部、１１は２−４線変換部、１２はスイッチ部、１３はハンズフリー通話部、１４は内線回路部、１５は外線インターフェース部、１６はＣＰＵ部である。
【０００６】
以下、図１に示すブロック図に従って説明する。今、ドアホン１の呼出ボタン（図示省略）が押下されると、ドアホンインターフェース部１０でドアホン１からの呼出を検出し、ＣＰＵ部１６によりハンズフリー通話部１３の音声制御ユニットＶＣＵ経由でスピーカＳＰからドアホン呼出音を出すと共に内線回路部１４を制御して内線端子ＥＸＴ１〜ＥＸＴ４に接続されている全ての内線電話機Ｔ１〜Ｔ４のベルを鳴動させる。また、ＣＰＵ部１６は２−４線変換部１１の増幅器ＡＭＰ１、ＡＭＰ２の増幅レベルをドアホン１用に切り替える。
【０００７】
例えば、内線端子ＥＸＴ１に接続されている内線電話機Ｔ１で応答すると、内線回路部１４でオフフックを検出してＣＰＵ部１６はＥＸＴ２〜ＥＸＴ４に接続されている他の内線電話機Ｔ２〜Ｔ４のベルを停止し、ハンズフリー通話部１３のドアホンからの着信音を停止する。また、スイッチ部１２のアナログスイッチ（ア）を動作させて次のルートでドアホン１と内線電話機Ｔ１を接続して該ドアホン１と内線電話機Ｔ１との通話ができる。
ドアホン１（ＤＨ１）−１０−１１−１２（ア）−１４−ＥＸＴ１−内線電話機Ｔ１
また、ドアホン２の呼出ボタン（図示省略）が押下された場合も同様でドアホンインターフェース部１０でドアホン２からの呼出を検出し、ＣＰＵ部１６によりハンズフリー通話部１３の音声制御ユニットＶＣＵ経由でスピーカＳＰからドアホン呼出音を出すと共に内線回路部１４を制御して内線端子ＥＸＴ１〜ＥＸＴ４に接続されている全ての内線電話機Ｔ１〜Ｔ４のベルを鳴動させる。また、ＣＰＵ部１６は２−４線変換部１０の増幅器ＡＭＰ１、ＡＭＰ２の増幅レベルをドアホン２用に切り替える。内線端子ＥＸＴ１に接続されている内線電話機Ｔ１で応答すると、内線回路部１４でオフフックを検出してＣＰＵ部１６はＥＸＴ２〜ＥＸＴ４に接続されている他の内線電話機Ｔ２〜Ｔ４のベルを停止し、ハンズフリー通話部１３のドアホン２からの着信音を停止する。また、スイッチ部１２のアナログスイッチ（ア）を動作させて次のルートでドアホン２と内線電話機Ｔ１を接続して該ドアホン２と内線電話機Ｔ１との通話ができる。
ドアホン２（ＤＨ２）−１０−１１−１２（ア）−１４−ＥＸＴ１−内線電話機Ｔ１
【０００８】
以上のように内線電話機またはハンズフリー通話部１３からのドアホン１とドアホン２への音声出力を２−４線変換部１１の増幅器ＡＭＰ２を制御することにより、２−４線変換部１１のＨＹＢ１からドアホンインターフェース部１０を経由して出力される通話レベルをドアホン１またはドアホン２用に自動的に切り替えることができる。また、１または２のドアホンからの音声入力は２−４線変換部１１のＨＹＢ１、増幅器ＡＭＰ１、ＨＹＢ２を経由してスイッチ部１２に出力される通話レベルを該増幅器ＡＭＰ１で切り替えることにより、ドアホン１，ドアホン２に係わらず一定の通話レベルにし、ドアホンと通話する内線電話機またはハンズフリー通話部１３でドアホン１およびドアホン２に係わらず一定の通話レベルで通話することができる。
【０００９】
次に、内線電話機とハンズフリー通話部１３との通話の場合はハンズフリー通話部１３に実装されている呼出／応答ボタン（図示省略）を押下すると、ＣＰＵ部１６は内線回路部１４を制御して内線端子ＥＸＴ１〜ＥＸＴ４に接続されている全ての内線電話機Ｔ１〜Ｔ４のベルを鳴動させる。例えば内線端子ＥＸＴ１に接続されている内線電話機Ｔ１が応答すると、内線回路部１４でオフフックを検出してＣＰＵ部１６はＥＸＴ２〜ＥＸＴ４に接続されている他の内線電話機Ｔ２〜Ｔ４のベルを停止させると共にハンズフリー通話部１３の音声制御ユニットＶＣＵを制御して内線電話機用に入出力レベルを切り替え、スイッチ部１２のアナログスイッチ（ウ）を動作させて内線電話機Ｔ１と前記ハンズフリー通話部１３とを接続して次のルートで通話することができる。
内線電話機Ｔ１−ＥＸＴ１−１４−１２（ウ）−１３
【００１０】
同様にドアホンとハンズフリー通話部１３との通話の場合も、例えばドアホン１で呼出ボタンが押下されると、ドアホンインターフェース部１０でドアホン１からの呼出を検出し、ＣＰＵ部１６によりハンズフリー通話部１３の音声制御ユニットＶＣＵ経由でスピーカＳＰからドアホン呼出音を送出すると共に内線回路部１４を制御して内線端子ＥＸＴ１〜ＥＸＴ４に接続されている全ての内線電話機Ｔ１〜Ｔ４のベルを鳴動させる。また、ＣＰＵ部１６は２−４線変換部１０の増幅器ＡＭＰ１、ＡＭＰ２の増幅レベルをドアホン１用に切り替える。ハンズフリー通話部１３に実装されている図示省略の応答ボタンを押下すると、ＣＰＵ部１６は該応答ボタンの押下を検出して内線回路部１４を制御し、ＥＸＴ２〜ＥＸＴ４に接続されている全ての内線電話機Ｔ２〜Ｔ４のベルを停止すると共にハンズフリー通話部１３の音声制御ユニットＶＣＵを制御してドアホン用に入出力レベルを切り替え、スイッチ部１２のアナログスイッチ（イ）を動作させてドアホン１と前記ハンズフリー通話部１３とを接続して次のルートで通話することができる。
ドアホン１（ＤＨ１）−１０−１１−１２（イ）−１３
このようにハンズフリー通話部１３の音声制御ユニットＶＣＵで内線電話機とドアホンとの通話を切り替えることにより、内線電話機とハンズフリー通話部との通話、またはドアホンとハンズフリー通話部との通話レベルの補正を自動的に調整することができる。
【００１１】
次に、他の発明について説明すると、前記手段に電話回線とハンズフリー通話部１３との通話を可能にしたもので、今、電話回線から着信があり外線インターフェース部１５で着信を検出すると、ＣＰＵ部１６は前記と同様に内線端子ＥＸＴ１〜ＥＸＴ４に接続されている全ての内線電話機Ｔ１〜Ｔ４のベルを鳴動させハンズフリー通話部１３の音声スイッチＶＣＵを制御してスピーカＳＰから呼出音を送出する。ハンズフリー通話部１３に実装されている応答ボタンを押下すると、ＣＰＵ部１６は該応答ボタンの押下を検出して内線回路部１４を制御し、内線端子ＥＸＴ１〜ＥＸＴ４に接続されている全ての内線電話機Ｔ１〜Ｔ４のベルを停止すると共にハンズフリー通話部１３の音声スイッチＶＣＵを制御して電話回線用に入出力レベルを切り替え、スイッチ部１２のアナログスイッチ（エ）を動作させて電話回線と前記ハンズフリー通話部１３とを接続して次のルートで通話することができる。
電話回線−ＣＯ１−１５−１２（エ）−１３
【００１２】
【発明の効果】
以上説明したように、ドアホン１，ドアホン２の通話レベルの調整を２−４線変換部で行い、内線電話機、ドアホンおよび電話回線とハンズフリー通話部との通話レベルの調整をハンズフリー通話部で行うことにより各々の通話レベルのばらつきを少なくしたことで通話品質の改善に多大の効果がある。
【００１３】
【図面の簡単な説明】
【図１】本発明の実施例を示すブロック図である。
【図２】図１の２−４線変換部の詳細回路図である。
【符号の説明】
ＣＯ１，ＣＯ２ ：電話回線を収容するための外線端子
ＥＸＴ１，ＥＸＴ４：電話機等を収容するための内線端子
ＤＨ１，ＤＨ２ ：ドアホン１，ドアホン２を収容するためのドアホン端子
１０ ：ドアホンインターフェース部
１１ ：２−４線変換部
１２ ：スイッチ部
１３ ：ハンズフリー通話部
１４ ：内線回路部
１５ ：外線インターフェース回路部
１６ ：ＣＰＵ部
ＨＹＢ１〜ＨＹＢ３：ハイブリッド回路部
ＡＭＰ１，ＡＭＰ２：増幅器
ＶＣＵ ：音声制御ユニット部
ＳＰ ：スピーカ
ＭＣ ：マイクロホン
【図１】
0003719871.tif 000002
【図２】
0003719871.tif 000003